(57)【要約】【課題】本発明は携帯しやすいノートパソコンデスクを開示した。【解決手段】デスク板を含み、前記デスク板には下方に開口した閉じ溝が設置され、前記回しブロックを引き動かし、それにより前記リミットブロックが前記リミット引っ掛かり溝から離脱し、その後前記支持フレームを回し、それにより前記支持フレームを地面に立て、本装置はノートパソコンを支えることと固定することを実現し、同時に本装置を折り畳め、それで外出する時にパソコンを携帯しやすくなり、また本装置の中にはノートパソコンの放熱を補助できる放熱口が設置されている。【選択図】図１
2020184285.tif 000002
【特許請求の範囲】
【請求項１】
正面視で、二つの左右対称であるデスク板を含み、前記デスク板には下方に開口した閉じ溝が設置され、前記閉じ溝の一端の端壁には連動チャンバが連通するように設置され、前記連動チャンバの中にはそれぞれ移動ブロックがスライドできるように連結され、前記移動ブロックの中にはスライドブロック軸が回転できるように連結され、前記スライドブロック軸には凹溝ブロックが固定的に設置され、前記凹溝ブロックの一端には伸縮溝が設置され、前記伸縮溝の中には伸縮スライドロッドがスライドできるように連結され、前記伸縮スライドロッドと前記伸縮溝との間には伸縮ばねが連結され、二つの前記伸縮スライドロッドの間にはヒンジ連結軸がヒンジにより連結され、二つの前記デスク板にはそれぞれ連通溝と取っ手引っ掛かり溝が設置され、前記連通溝の中には駆動軸がヒンジにより連結され、前記駆動軸には取っ手が固定的に設置され、前記取っ手はもう一つの前記デスク板の中の前記取っ手引っ掛かり溝とスライドできるように連結されることができ、すべての前記デスク板の中には下方に開口した貯蔵溝が設置され、前記貯蔵溝の中には支持できる支持装置が設置され、前記貯蔵溝の右端壁にはリミット引っ掛かり溝が設置され、前記貯蔵溝の上端壁には放熱口が設置され、前記放熱口の中には防塵ネットが固定的に設置され、前記貯蔵溝の上端壁にはギヤチャンバが設置され、前記ギヤチャンバの上端壁にはラックスライド溝が設置され、前記ラックスライド溝の上端壁には外部と連通している触発溝が設置され、前記デスク板の上端面には外部と連通している頂部溝が設置され、前記ラックスライド溝と前記貯蔵溝との間にはノートパソコンを固定できるとノートパソコンの温度を下げられる開け装置が設置され、左端の前記デスク板の下端壁には下方に開口した棒状体引っ掛かり溝が設置され、右端の前記デスク板には下方に開口した棒状体スライド溝が設置され、前記棒状体スライド溝の右端壁には凸ブロックスライド溝が設置され、前記棒状体スライド溝の中には閉じられる閉じ装置が設置されることを特徴とする携帯しやすいノートパソコンデスク。
【請求項２】
前記支持装置は前記貯蔵溝の前後端壁と回転できるように連結される回転軸を含み、前記回転軸の後端には第一ギヤが固定的に設置され、前記回転軸の前端には支持フレームが固定的に設置され、前記支持フレームのもう一端にはリミットスライド溝が設置され、前記リミットスライド溝の中には前記リミット引っ掛かり溝とスライドできるように連結されることができるリミットブロックがスライドできるように連結され、前記リミットブロックと前記リミットスライド溝との間にはリミットばねが連結され、前記リミットスライド溝の下端壁には回し溝が設置され、前記リミットブロックの下端面には前記回し溝とスライドできるように連結される回しブロックが設置され、使用する時、前記回しブロックを引き動かし、それにより前記リミットブロックが前記リミット引っ掛かり溝から離脱し、その後前記支持フレームを回し、それにより前記支持フレームを地面に立てることができることを特徴とする請求項１に記載の携帯しやすいノートパソコンデスク。
【請求項３】
前記開け装置は前記貯蔵溝の前後端壁に回転できるように装着される横軸を含み、前記横軸には前記第一ギヤと噛み合っている第二ギヤが固定的に連結され、前記ラックスライド溝の中には前記第二ギヤと噛み合っている長ラックがスライドできるように連結され、前記長ラックと前記ラックスライド溝との間にはラックばねが連結され、前記触発溝の中にはＬ形ロッドが回転できるように連結され、前記Ｌ形ロッドの中には捻りばねが固定的に設置され、前記捻りばねのもう一端と前記触発溝とが固定的に連結され、前記頂部溝の中には小ブロックがスライドできるように連結され、前記小ブロックと前記頂部溝との間には固定ばねが連結され、前記小ブロックの上端面には前記デスク板とスライドできるように連結される固定板が固定的に連結され、前記固定板の下端面には固定板溝が設置され、前記固定板溝の中には弧形ブロックがスライドできるように連結され、前記弧形ブロックと前記固定板溝との間には小ばねが連結され、前記弧形ブロックが前記触発溝とスライドできるように連結されることができ、使用する時、前記第二ギヤが前記長ギヤを移動連動させ、それにより前記放熱口が開けられ、ノートパソコンの放熱に便利を与え、前記長ギヤが前記Ｌ形ロッドを回転連動させ、それにより前記弧形ブロックを前記触発溝から押し出し、前記小ブロックと前記固定板が前記固定ばねにより引き動かされ、それによりノートパソコンを固定することを特徴とする請求項１に記載の携帯しやすいノートパソコンデスク。
【請求項４】
前記閉じ装置は前記棒状体スライド溝の中にスライドできるように装着される棒状体を含み、前記棒状体と前記棒状体スライド溝との間には棒状体ばねが連結され、前記棒状体の右端面には前記凸ブロックスライド溝とスライドできるように連結される凸ブロックが固定的に連結され、二つの前記デスク板が間もなく閉じる時、前記凸ブロックを上へ引き、その後前記デスク板を閉じ、前記凸ブロックを放し、前記棒状体が前記棒状体引っ掛かり溝の中に引っ掛かることを特徴とする請求項１に記載の携帯しやすいノートパソコンデスク。
【発明の詳細な説明】
【技術分野】
【０００１】
本発明はパソコン用品分野に関わり、具体的には携帯しやすいノートパソコンデスクである。
【背景技術】
【０００２】
外出する時、ノートパソコンを使う必要がよくあり、しかしノートパソコンの使いはパソコンデスクがない場合に、非常に不便であり、いままでのパソコンデスクは体積が大きく、収納が困難であり、外出する時に携帯が非常に不便である。
【先行技術文献】
【特許文献】
【０００３】
【特許文献１】中国特許出願公開第１０３９３２５０３号明細書
【発明の概要】
【発明が解決しようとする課題】
【０００４】
本発明は携帯しやすいノートパソコンデスクを提供し、上記背景技術にある問題を解決することを目的とする。
【課題を解決するための手段】
【０００５】
上記の目的を実現するため、本発明は以下の技術プランを提供する：携帯しやすいノートパソコンデスクであり、二つの左右対称であるデスク板を含み、前記デスク板には下方に開口した閉じ溝が設置され、前記閉じ溝の一端の端壁には連動チャンバが連通するように設置され、前記連動チャンバの中にはそれぞれ移動ブロックがスライドできるように連結され、前記移動ブロックの中にはスライドブロック軸が回転できるように連結され、前記スライドブロック軸には凹溝ブロックが固定的に設置され、前記凹溝ブロックの一端には伸縮溝が設置され、前記伸縮溝の中には伸縮スライドロッドがスライドできるように連結され、前記伸縮スライドロッドと前記伸縮溝との間には伸縮ばねが連結され、二つの前記伸縮スライドロッドの間にはヒンジ連結軸がヒンジにより連結され、二つの前記デスク板にはそれぞれ連通溝と取っ手引っ掛かり溝が設置され、前記連通溝の中には駆動軸がヒンジにより連結され、前記駆動軸には取っ手が固定的に設置され、前記取っ手はもう一つの前記デスク板の中の前記取っ手引っ掛かり溝とスライドできるように連結されることができ、すべての前記デスク板の中には下方に開口した貯蔵溝が設置され、前記貯蔵溝の中には支持できる支持装置が設置され、前記貯蔵溝の右端壁にはリミット引っ掛かり溝が設置され、前記貯蔵溝の上端壁には放熱口が設置され、前記放熱口の中には防塵ネットが固定的に設置され、前記貯蔵溝の上端壁にはギヤチャンバが設置され、前記ギヤチャンバの上端壁にはラックスライド溝が設置され、前記ラックスライド溝の上端壁には外部と連通している触発溝が設置され、前記デスク板の上端面には外部と連通している頂部溝が設置され、前記ラックスライド溝と前記貯蔵溝との間にはノートパソコンを固定できるとノートパソコンの温度を下げられる開け装置が設置され、左端の前記デスク板の下端壁には下方に開口した棒状体引っ掛かり溝が設置され、右端の前記デスク板には下方に開口した棒状体スライド溝が設置され、前記棒状体スライド溝の右端壁には凸ブロックスライド溝が設置され、前記棒状体スライド溝の中には閉じられる閉じ装置が設置される。
【０００６】
好ましくは、前記支持装置は前記貯蔵溝の前後端壁と回転できるように連結される回転軸を含み、前記回転軸の後端には第一ギヤが固定的に設置され、前記回転軸の前端には支持フレームが固定的に設置され、前記支持フレームのもう一端にはリミットスライド溝が設置され、前記リミットスライド溝の中には前記リミット引っ掛かり溝とスライドできるように連結されることができるリミットブロックがスライドできるように連結され、前記リミットブロックと前記リミットスライド溝との間にはリミットばねが連結され、前記リミットスライド溝の下端壁には回し溝が設置され、前記リミットブロックの下端面には前記回し溝とスライドできるように連結される回しブロックが設置され、使用する時、前記回しブロックを引き動かし、それにより前記リミットブロックが前記リミット引っ掛かり溝から離脱し、その後前記支持フレームを回し、それにより前記支持フレームを地面に立てることができる。
【０００７】
好ましくは、前記開け装置は前記貯蔵溝の前後端壁に回転できるように装着される横軸を含み、前記横軸には前記第一ギヤと噛み合っている第二ギヤが固定的に連結され、前記ラックスライド溝の中には前記第二ギヤと噛み合っている長ラックがスライドできるように連結され、前記長ラックと前記ラックスライド溝との間にはラックばねが連結され、前記触発溝の中にはＬ形ロッドが回転できるように連結され、前記Ｌ形ロッドの中には捻りばねが固定的に設置され、前記捻りばねのもう一端と前記触発溝とが固定的に連結され、前記頂部溝の中には小ブロックがスライドできるように連結され、前記小ブロックと前記頂部溝との間には固定ばねが連結され、前記小ブロックの上端面には前記デスク板とスライドできるように連結される固定板が固定的に連結され、前記固定板の下端面には固定板溝が設置され、前記固定板溝の中には弧形ブロックがスライドできるように連結され、前記弧形ブロックと前記固定板溝との間には小ばねが連結され、前記弧形ブロックが前記触発溝とスライドできるように連結されることができ、使用する時、前記第二ギヤが前記長ギヤを移動連動させ、それにより前記放熱口が開けられ、ノートパソコンの放熱に便利を与え、前記長ギヤが前記Ｌ形ロッドを回転連動させ、それにより前記弧形ブロックを前記触発溝から押し出し、前記小ブロックと前記固定板が前記固定ばねにより引き動かされ、それによりノートパソコンを固定する。
【０００８】
好ましくは、前記閉じ装置は前記棒状体スライド溝の中にスライドできるように装着される棒状体を含み、前記棒状体と前記棒状体スライド溝との間には棒状体ばねが連結され、前記棒状体の右端面には前記凸ブロックスライド溝とスライドできるように連結される凸ブロックが固定的に連結され、二つの前記デスク板が間もなく閉じる時、前記凸ブロックを上へ引き、その後前記デスク板を閉じ、前記凸ブロックを放し、前記棒状体が前記棒状体引っ掛かり溝の中に引っ掛かる。
【発明の効果】
【０００９】
以上により、本発明の有益な効果は：本装置はノートパソコンを支えることと固定することを実現し、同時に本装置を折り畳め、それで外出する時にパソコンを携帯しやすくなり、また本装置の中にはノートパソコンの放熱を補助できる放熱口が設置されている。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の携帯しやすいノートパソコンデスク全体断面の正面構成概略図
【図２】図２は本発明の図１の中のＡのところの部分拡大図
【図３】図３は本発明の図１の中のＢのところの部分拡大図で
【図４】図４は本発明の携帯しやすいノートパソコンデスクを折り畳んだ後の効果図
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１４】
図１〜４を参照し、本発明の実施例は：携帯しやすいノートパソコンデスクであり、携帯しやすいノートパソコンデスクは二つの左右対称であるデスク板２１を含み、前記デスク板２１には下方に開口した閉じ溝５２が設置され、前記閉じ溝５２の一端の端壁には連動チャンバ４５が連通するように設置され、前記連動チャンバ４５の中にはそれぞれ移動ブロック４６がスライドできるように連結され、前記移動ブロック４６の中にはスライドブロック軸４７が回転できるように連結され、前記スライドブロック軸４７には凹溝ブロック４８が固定的に設置され、前記凹溝ブロック４８の一端には伸縮溝４９が設置され、前記伸縮溝４９の中には伸縮スライドロッド５１がスライドできるように連結され、前記伸縮スライドロッド５１と前記伸縮溝４９との間には伸縮ばね５０が連結され、二つの前記伸縮スライドロッド５１の間にはヒンジ連結軸５３がヒンジにより連結され、二つの前記デスク板２１にはそれぞれ連通溝４０と取っ手引っ掛かり溝３８が設置され、前記連通溝４０の中には駆動軸３９がヒンジにより連結され、前記駆動軸３９には取っ手３７が固定的に設置され、前記取っ手３７はもう一つの前記デスク板２１の中の前記取っ手引っ掛かり溝３８とスライドできるように連結されることができ、すべての前記デスク板２１の中には下方に開口した貯蔵溝２５が設置され、前記貯蔵溝２５の中には支持できる支持装置１０１が設置され、前記貯蔵溝２５の右端壁にはリミット引っ掛かり溝４１が設置され、前記貯蔵溝２５の上端壁には放熱口４２が設置され、前記放熱口４２の中には防塵ネット４３が固定的に設置され、前記貯蔵溝２５の上端壁にはギヤチャンバ６４が設置され、前記ギヤチャンバ６４の上端壁にはラックスライド溝５４が設置され、前記ラックスライド溝５４の上端壁には外部と連通している触発溝５６が設置され、前記デスク板２１の上端面には外部と連通している頂部溝６２が設置され、前記ラックスライド溝５４と前記貯蔵溝２５との間にはノートパソコンを固定できるとノートパソコンの温度を下げられる開け装置１０２が設置され、左端の前記デスク板２１の下端壁には下方に開口した棒状体引っ掛かり溝２２が設置され、右端の前記デスク板２１には下方に開口した棒状体スライド溝３５が設置され、前記棒状体スライド溝３５の右端壁には凸ブロックスライド溝３４が設置され、前記棒状体スライド溝３５の中には閉じられる閉じ装置１０３が設置される。
【００１５】
前記支持装置１０１は前記貯蔵溝２５の前後端壁と回転できるように連結される回転軸２４を含み、前記回転軸２４の後端には第一ギヤ２３が固定的に設置され、前記回転軸２４の前端には支持フレーム２６が固定的に設置され、前記支持フレーム２６のもう一端にはリミットスライド溝２８が設置され、前記リミットスライド溝２８の中には前記リミット引っ掛かり溝４１とスライドできるように連結されることができるリミットブロック３１がスライドできるように連結され、前記リミットブロック３１と前記リミットスライド溝２８との間にはリミットばね２７が連結され、前記リミットスライド溝２８の下端壁には回し溝２９が設置され、前記リミットブロック３１の下端面には前記回し溝２９とスライドできるように連結される回しブロック３０が設置され、使用する時、前記回しブロック３０を引き動かし、それにより前記リミットブロック３１が前記リミット引っ掛かり溝４１から離脱し、その後前記支持フレーム２６を回し、それにより前記支持フレーム２６を地面に立てることができる。
【００１６】
前記開け装置１０２は前記貯蔵溝２５の前後端壁に回転できるように装着される横軸６６を含み、前記横軸６６には前記第一ギヤ２３と噛み合っている第二ギヤ６５が固定的に連結され、前記ラックスライド溝５４の中には前記第二ギヤ６５と噛み合っている長ラック６３がスライドできるように連結され、前記長ラック６３と前記ラックスライド溝５４との間にはラックばね６９が連結され、前記触発溝５６の中にはＬ形ロッド５５が回転できるように連結され、前記Ｌ形ロッド５５の中には捻りばね６７が固定的に設置され、前記捻りばね６７のもう一端と前記触発溝５６とが固定的に連結され、前記頂部溝６２の中には小ブロック６０がスライドできるように連結され、前記小ブロック６０と前記頂部溝６２との間には固定ばね６１が連結され、前記小ブロック６０の上端面には前記デスク板２１とスライドできるように連結される固定板５７が固定的に連結され、前記固定板５７の下端面には固定板溝６８が設置され、前記固定板溝６８の中には弧形ブロック５８がスライドできるように連結され、前記弧形ブロック５８と前記固定板溝６８との間には小ばね５９が連結され、前記弧形ブロック５８が前記触発溝５６とスライドできるように連結されることができ、使用する時、前記第二ギヤ６５が前記長ギヤ６３を移動連動させ、それにより前記放熱口４２が開けられ、ノートパソコンの放熱に便利を与え、前記長ギヤ６３が前記Ｌ形ロッド５５を回転連動させ、それにより前記弧形ブロック５８を前記触発溝５６から押し出し、前記小ブロック６０と前記固定板５７が前記固定ばね６１により引き動かされ、それによりノートパソコンを固定する。
【００１７】
前記閉じ装置１０３は前記棒状体スライド溝３５の中にスライドできるように装着される棒状体３２を含み、前記棒状体３２と前記棒状体スライド溝３５との間には棒状体ばね３６が連結され、前記棒状体３２の右端面には前記凸ブロックスライド溝３４とスライドできるように連結される凸ブロック３３が固定的に連結され、二つの前記デスク板２１が間もなく閉じる時、前記凸ブロック３３を上へ引き、その後前記デスク板２１を閉じ、前記凸ブロック３３を放し、前記棒状体３２が前記棒状体引っ掛かり溝２２の中に引っ掛かる。
【００１８】
使用する時、まず回しブロック３０を引き動かし、それによりリミットブロック３１がリミット引っ掛かり溝４１から離脱し、その後支持フレーム２６を回し、それにより支持フレーム２６を地面に立て、この過程において、第一ギヤ２３が横軸６６と第二ギヤ６５を回転連動させ、第二ギヤ６５により長ラック６３を移動連動させ、それにより放熱口４２が開けられ、ノートパソコンの放熱に便利を与え、長ギヤ６３がＬ形ロッド５５を回転連動させ、それにより弧形ブロック５８を触発溝５６から押し出し、小ブロック６０と固定板５７が固定ばね６１により引き動かされ、それによりノートパソコンを固定し、使用し終わった時、固定板５７と支持フレーム２６を復帰させ、そして二つのデスク板２１を両側に引き、それにより取っ手３７が取っ手引っ掛かり溝３８から離脱し、その後デスク板２１をひっくり返し、二つのデスク板２１が間もなく閉じる時、凸ブロック３３を上へ引き、その後デスク板２１を閉じ、凸ブロック３３を放し、棒状体３２が棒状体引っ掛かり溝２２の中に引っ掛かる。
【００１９】
本発明の有益な効果は：本装置はノートパソコンを支えることと固定することを実現し、同時に本装置を折り畳め、それで外出する時にパソコンを携帯しやすくなり、また本装置の中にはノートパソコンの放熱を補助できる放熱口が設置されている。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は権力要求書に限定された保護範囲を基準とするべきである。
【図１】
2020184285.tif 000003
【図２】
2020184285.tif 000004
【図３】
2020184285.tif 000005
【図４】
2020184285.tif 000006
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
正面視で、二つの左右対称であるデスク板を含み、前記デスク板には下方に開口した閉じ溝が設置され、前記閉じ溝の一端の端壁には連動チャンバが連通するように設置され、前記連動チャンバの中にはそれぞれ移動ブロックがスライドできるように連結され、前記移動ブロックの中にはスライドブロック軸が回転できるように連結され、前記スライドブロック軸には凹溝ブロックが固定的に設置され、前記凹溝ブロックの一端には伸縮溝が設置され、前記伸縮溝の中には伸縮スライドロッドがスライドできるように連結され、前記伸縮スライドロッドと前記伸縮溝との間には伸縮ばねが連結され、二つの前記伸縮スライドロッドの間にはヒンジ連結軸がヒンジにより連結され、二つの前記デスク板にはそれぞれ連通溝と取っ手引っ掛かり溝が設置され、前記連通溝の中には駆動軸がヒンジにより連結され、前記駆動軸には取っ手が固定的に設置され、前記取っ手はもう一つの前記デスク板の中の前記取っ手引っ掛かり溝とスライドできるように連結されることができ、すべての前記デスク板の中には下方に開口した貯蔵溝が設置され、前記貯蔵溝の中には支持できる支持装置が設置され、前記貯蔵溝において前記取っ手引っ掛かり溝に近接する片側にはリミット引っ掛かり溝が設置され、前記貯蔵溝の上端壁には放熱口が設置され、前記放熱口の中には防塵ネットが固定的に設置され、前記貯蔵溝の上端壁にはギヤチャンバが設置され、前記ギヤチャンバの上端壁にはラックスライド溝が設置され、前記ラックスライド溝の上端壁には外部と連通している触発溝が設置され、前記デスク板の上端面には外部と連通している頂部溝が設置され、前記デスク板の中にはノートパソコンを固定できるとともにノートパソコンの温度を下げられる開け装置が設置され、左端の前記デスク板の下端壁には下方に開口した棒状体引っ掛かり溝が設置され、右端の前記デスク板には下方に開口した棒状体スライド溝が設置され、前記棒状体スライド溝の右端壁には凸ブロックスライド溝が設置され、前記棒状体スライド溝の中には閉じられる閉じ装置が設置されることを特徴とする携帯しやすいノートパソコンデスク。  
【請求項２】
前記支持装置は前記貯蔵溝の前後端壁と回転できるように連結される回転軸を含み、前記回転軸には第一ギヤ及び支持フレームが設置され、前記支持フレームにおいて前記回転軸から離れた片側にはリミットスライド溝が設置され、前記リミットスライド溝の中には前記リミット引っ掛かり溝とスライドできるように連結されることができるリミットブロックがスライドできるように連結され、前記リミットブロックと前記リミットスライド溝との間にはリミットばねが連結され、前記リミットスライド溝の下端壁には回し溝が設置され、前記リミットブロックの下端面には前記回し溝とスライドできるように連結される回しブロックが設置され、使用する時、前記回しブロックを引き動かし、それにより前記リミットブロックが前記リミット引っ掛かり溝から離脱し、その後前記支持フレームを回し、それにより前記支持フレームを地面に立てることができることを特徴とする請求項１に記載の携帯しやすいノートパソコンデスク。  
【請求項３】
前記開け装置は前記貯蔵溝の前後端壁に回転できるように装着される横軸を含み、前記横軸には前記第一ギヤと噛み合っている第二ギヤが固定的に連結され、前記ラックスライド溝の中には前記第二ギヤと噛み合っている長ラックがスライドできるように連結され、前記長ラックと前記ラックスライド溝との間にはラックばねが連結され、前記触発溝の中にはＬ形ロッドが回転できるように連結され、前記Ｌ形ロッドの中には捻りばねが固定的に設置され、前記捻りばねのもう一端と前記触発溝とが固定的に連結され、前記頂部溝の中には小ブロックがスライドできるように連結され、前記小ブロックと前記頂部溝との間には固定ばねが連結され、前記小ブロックの上端面には前記デスク板とスライドできるように連結される固定板が固定的に連結され、前記固定板の下端面には固定板溝が設置され、前記固定板溝の中には弧形ブロックがスライドできるように連結され、前記弧形ブロックと前記固定板溝との間には小ばねが連結され、前記弧形ブロックが前記触発溝とスライドできるように連結されることができ、使用する時、前記第二ギヤが前記長ラックを移動連動させ、それにより前記放熱口が開けられ、ノートパソコンの放熱に便利を与え、前記長ラックが前記Ｌ形ロッドを回転連動させ、それにより前記弧形ブロックを前記触発溝から押し出し、前記小ブロックと前記固定板が前記固定ばねにより引き動かされ、それによりノートパソコンを固定することを特徴とする請求項２に記載の携帯しやすいノートパソコンデスク。  
【請求項４】
前記閉じ装置は棒状体を含み、前記棒状体は前記棒状体スライド溝の中にスライドできるように装着され、前記棒状体と前記棒状体スライド溝との間には棒状体ばねが連結され、前記棒状体の右端面には前記凸ブロックスライド溝とスライドできるように連結される凸ブロックが固定的に連結され、二つの前記デスク板が間もなく閉じる時、前記凸ブロックを上へ引き、その後前記デスク板を閉じ、前記凸ブロックを放し、前記棒状体が前記棒状体引っ掛かり溝の中に引っ掛かることを特徴とする請求項１に記載の携帯しやすいノートパソコンデスク。
【手続補正２】
【補正対象書類名】明細書
【補正対象項目名】全文
【補正方法】変更
【補正の内容】
【発明の詳細な説明】
【技術分野】
【０００１】
本発明はパソコン用品分野に関わり、具体的には携帯しやすいノートパソコンデスクである。
【背景技術】
【０００２】
外出する時、ノートパソコンを使う必要がよくあり、しかしノートパソコンの使いはパソコンデスクがない場合に、非常に不便であり、いままでのパソコンデスクは体積が大きく、収納が困難であり、外出する時に携帯が非常に不便である。  
【先行技術文献】
【特許文献】
【０００３】
【特許文献１】中国特許出願公開第１０３９３２５０３号明細書
【発明の概要】
【発明が解決しようとする課題】
【０００４】
本発明は携帯しやすいノートパソコンデスクを提供し、上記背景技術にある問題を解決することを目的とする。  
【課題を解決するための手段】
【０００５】
上記の目的を実現するため、本発明は以下の技術プランを提供する：携帯しやすいノートパソコンデスクであり、二つの左右対称であるデスク板を含み、前記デスク板には下方に開口した閉じ溝が設置され、前記閉じ溝の一端の端壁には連動チャンバが連通するように設置され、前記連動チャンバの中にはそれぞれ移動ブロックがスライドできるように連結され、前記移動ブロックの中にはスライドブロック軸が回転できるように連結され、前記スライドブロック軸には凹溝ブロックが固定的に設置され、前記凹溝ブロックの一端には伸縮溝が設置され、前記伸縮溝の中には伸縮スライドロッドがスライドできるように連結され、前記伸縮スライドロッドと前記伸縮溝との間には伸縮ばねが連結され、二つの前記伸縮スライドロッドの間にはヒンジ連結軸がヒンジにより連結され、二つの前記デスク板にはそれぞれ連通溝と取っ手引っ掛かり溝が設置され、前記連通溝の中には駆動軸がヒンジにより連結され、前記駆動軸には取っ手が固定的に設置され、前記取っ手はもう一つの前記デスク板の中の前記取っ手引っ掛かり溝とスライドできるように連結されることができ、すべての前記デスク板の中には下方に開口した貯蔵溝が設置され、前記貯蔵溝の中には支持できる支持装置が設置され、前記貯蔵溝において前記取っ手引っ掛かり溝に近接する片側にはリミット引っ掛かり溝が設置され、前記貯蔵溝の上端壁には放熱口が設置され、前記放熱口の中には防塵ネットが固定的に設置され、前記貯蔵溝の上端壁にはギヤチャンバが設置され、前記ギヤチャンバの上端壁にはラックスライド溝が設置され、前記ラックスライド溝の上端壁には外部と連通している触発溝が設置され、前記デスク板の上端面には外部と連通している頂部溝が設置され、前記デスク板の中にはノートパソコンを固定できるとともにノートパソコンの温度を下げられる開け装置が設置され、左端の前記デスク板の下端壁には下方に開口した棒状体引っ掛かり溝が設置され、右端の前記デスク板には下方に開口した棒状体スライド溝が設置され、前記棒状体スライド溝の右端壁には凸ブロックスライド溝が設置され、前記棒状体スライド溝の中には閉じられる閉じ装置が設置される。  
【０００６】
好ましくは、前記支持装置は前記貯蔵溝の前後端壁と回転できるように連結される回転軸を含み、前記回転軸には第一ギヤ及び支持フレームが設置され、前記支持フレームにおいて前記回転軸から離れた片側にはリミットスライド溝が設置され、前記リミットスライド溝の中には前記リミット引っ掛かり溝とスライドできるように連結されることができるリミットブロックがスライドできるように連結され、前記リミットブロックと前記リミットスライド溝との間にはリミットばねが連結され、前記リミットスライド溝の下端壁には回し溝が設置され、前記リミットブロックの下端面には前記回し溝とスライドできるように連結される回しブロックが設置され、使用する時、前記回しブロックを引き動かし、それにより前記リミットブロックが前記リミット引っ掛かり溝から離脱し、その後前記支持フレームを回し、それにより前記支持フレームを地面に立てることができる。  
【０００７】
好ましくは、前記開け装置は前記貯蔵溝の前後端壁に回転できるように装着される横軸を含み、前記横軸には前記第一ギヤと噛み合っている第二ギヤが固定的に連結され、前記ラックスライド溝の中には前記第二ギヤと噛み合っている長ラックがスライドできるように連結され、前記長ラックと前記ラックスライド溝との間にはラックばねが連結され、前記触発溝の中にはＬ形ロッドが回転できるように連結され、前記Ｌ形ロッドの中には捻りばねが固定的に設置され、前記捻りばねのもう一端と前記触発溝とが固定的に連結され、前記頂部溝の中には小ブロックがスライドできるように連結され、前記小ブロックと前記頂部溝との間には固定ばねが連結され、前記小ブロックの上端面には前記デスク板とスライドできるように連結される固定板が固定的に連結され、前記固定板の下端面には固定板溝が設置され、前記固定板溝の中には弧形ブロックがスライドできるように連結され、前記弧形ブロックと前記固定板溝との間には小ばねが連結され、前記弧形ブロックが前記触発溝とスライドできるように連結されることができ、使用する時、前記第二ギヤが前記長ラックを移動連動させ、それにより前記放熱口が開けられ、ノートパソコンの放熱に便利を与え、前記長ラックが前記Ｌ形ロッドを回転連動させ、それにより前記弧形ブロックを前記触発溝から押し出し、前記小ブロックと前記固定板が前記固定ばねにより引き動かされ、それによりノートパソコンを固定する。  
【０００８】
好ましくは、前記閉じ装置は棒状体を含み、前記棒状体は前記棒状体スライド溝の中にスライドできるように装着され、前記棒状体と前記棒状体スライド溝との間には棒状体ばねが連結され、前記棒状体の右端面には前記凸ブロックスライド溝とスライドできるように連結される凸ブロックが固定的に連結され、二つの前記デスク板が間もなく閉じる時、前記凸ブロックを上へ引き、その後前記デスク板を閉じ、前記凸ブロックを放し、前記棒状体が前記棒状体引っ掛かり溝の中に引っ掛かる。  
【発明の効果】
【０００９】
以上により、本発明の有益な効果は：本装置はノートパソコンを支えることと固定することを実現し、同時に本装置を折り畳め、それで外出する時にパソコンを携帯しやすくなり、また本装置の中にはノートパソコンの放熱を補助できる放熱口が設置されている。  
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１１】
【図１】図１は本発明の携帯しやすいノートパソコンデスク全体断面の正面構成概略  図
【図２】図２は本発明の図１の中のＡのところの部分拡大図
【図３】図３は本発明の図１の中のＢのところの部分拡大図で
【図４】図４は本発明の携帯しやすいノートパソコンデスクを折り畳んだ後の効果図
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。  
【００１３】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。  
【００１４】
図１〜４を参照し、本発明の実施例は：携帯しやすいノートパソコンデスクであり、携帯しやすいノートパソコンデスクは二つの左右対称であるデスク板２１を含み、前記デスク板２１には下方に開口した閉じ溝５２が設置され、前記閉じ溝５２の一端の端壁には連動チャンバ４５が連通するように設置され、前記連動チャンバ４５の中にはそれぞれ移動ブロック４６がスライドできるように連結され、前記移動ブロック４６の中にはスライドブロック軸４７が回転できるように連結され、前記スライドブロック軸４７には凹溝ブロック４８が固定的に設置され、前記凹溝ブロック４８の一端には伸縮溝４９が設置され、前記伸縮溝４９の中には伸縮スライドロッド５１がスライドできるように連結され、前記伸縮スライドロッド５１と前記伸縮溝４９との間には伸縮ばね５０が連結され、二つの前記伸縮スライドロッド５１の間にはヒンジ連結軸５３がヒンジにより連結され、二つの前記デスク板２１にはそれぞれ連通溝４０と取っ手引っ掛かり溝３８が設置され、前記連通溝４０の中には駆動軸３９がヒンジにより連結され、前記駆動軸３９には取っ手３７が固定的に設置され、前記取っ手３７はもう一つの前記デスク板２１の中の前記取っ手引っ掛かり溝３８とスライドできるように連結されることができ、すべての前記デスク板２１の中には下方に開口した貯蔵溝２５が設置され、前記貯蔵溝２５の中には支持できる支持装置１０１が設置され、前記貯蔵溝２５において前記取っ手引っ掛かり溝３８に近接する片側にはリミット引っ掛かり溝４１が設置され、前記貯蔵溝２５の上端壁には放熱口４２が設置され、前記放熱口４２の中には防塵ネット４３が固定的に設置され、前記貯蔵溝２５の上端壁にはギヤチャンバ６４が設置され、前記ギヤチャンバ６４の上端壁にはラックスライド溝５４が設置され、前記ラックスライド溝５４の上端壁には外部と連通している触発溝５６が設置され、前記デスク板２１の上端面には外部と連通している頂部溝６２が設置され、前記デスク板２１の中にはノートパソコンを固定できるとともにノートパソコンの温度を下げられる開け装置１０２が設置され、左端の前記デスク板２１の下端壁には下方に開口した棒状体引っ掛かり溝２２が設置され、右端の前記デスク板２１には下方に開口した棒状体スライド溝３５が設置され、前記棒状体スライド溝３５の右端壁には凸ブロックスライド溝３４が設置され、前記棒状体スライド溝３５の中には閉じられる閉じ装置１０３が設置される。  
【００１５】
前記支持装置１０１は前記貯蔵溝２５の前後端壁と回転できるように連結される回転軸２４を含み、前記回転軸２４には第一ギヤ２３及び支持フレーム２６が設置され、前記支持フレーム２６において前記回転軸２４から離れた片側にはリミットスライド溝２８が設置され、前記リミットスライド溝２８の中には前記リミット引っ掛かり溝４１とスライドできるように連結されることができるリミットブロック３１がスライドできるように連結され、前記リミットブロック３１と前記リミットスライド溝２８との間にはリミットばね２７が連結され、前記リミットスライド溝２８の下端壁には回し溝２９が設置され、前記リミットブロック３１の下端面には前記回し溝２９とスライドできるように連結される回しブロック３０が設置され、使用する時、前記回しブロック３０を引き動かし、それにより前記リミットブロック３１が前記リミット引っ掛かり溝４１から離脱し、その後前記支持フレーム２６を回し、それにより前記支持フレーム２６を地面に立てることができる。  
【００１６】
前記開け装置１０２は前記貯蔵溝２５の前後端壁に回転できるように装着される横軸６６を含み、前記横軸６６には前記第一ギヤ２３と噛み合っている第二ギヤ６５が固定的に連結され、前記ラックスライド溝５４の中には前記第二ギヤ６５と噛み合っている長ラック６３がスライドできるように連結され、前記長ラック６３と前記ラックスライド溝５４との間にはラックばね６９が連結され、前記触発溝５６の中にはＬ形ロッド５５が回転できるように連結され、前記Ｌ形ロッド５５の中には捻りばね６７が固定的に設置され、前記捻りばね６７のもう一端と前記触発溝５６とが固定的に連結され、前記頂部溝６２の中には小ブロック６０がスライドできるように連結され、前記小ブロック６０と前記頂部溝６２との間には固定ばね６１が連結され、前記小ブロック６０の上端面には前記デスク板２１とスライドできるように連結される固定板５７が固定的に連結され、前記固定板５７の下端面には固定板溝６８が設置され、前記固定板溝６８の中には弧形ブロック５８がスライドできるように連結され、前記弧形ブロック５８と前記固定板溝６８との間には小ばね５９が連結され、前記弧形ブロック５８が前記触発溝５６とスライドできるように連結されることができ、使用する時、前記第二ギヤ６５が前記長ラック６３を移動連動させ、それにより前記放熱口４２が開けられ、ノートパソコンの放熱に便利を与え、前記長ラック６３が前記Ｌ形ロッド５５を回転連動させ、それにより前記弧形ブロック５８を前記触発溝５６から押し出し、前記小ブロック６０と前記固定板５７が前記固定ばね６１により引き動かされ、それによりノートパソコンを固定する。  
【００１７】
前記閉じ装置１０３は棒状体３２を含み、前記棒状体３２は前記棒状体スライド溝３５の中にスライドできるように装着され、前記棒状体３２と前記棒状体スライド溝３５との間には棒状体ばね３６が連結され、前記棒状体３２の右端面には前記凸ブロックスライド溝３４とスライドできるように連結される凸ブロック３３が固定的に連結され、二つの前記デスク板２１が間もなく閉じる時、前記凸ブロック３３を上へ引き、その後前記デスク板２１を閉じ、前記凸ブロック３３を放し、前記棒状体３２が前記棒状体引っ掛かり溝２２の中に引っ掛かる。
【００１８】
使用する時、まず回しブロック３０を引き動かし、それによりリミットブロック３１がリミット引っ掛かり溝４１から離脱し、その後支持フレーム２６を回し、それにより支持フレーム２６を地面に立て、この過程において、第一ギヤ２３が横軸６６と第二ギヤ６５を回転連動させ、第二ギヤ６５により長ラック６３を移動連動させ、それにより放熱口４２が開けられ、ノートパソコンの放熱に便利を与え、長ラック６３がＬ形ロッド５５を回転連動させ、それにより弧形ブロック５８を触発溝５６から押し出し、小ブロック６０と固定板５７が固定ばね６１により引き動かされ、それによりノートパソコンを固定し、使用し終わった時、固定板５７と支持フレーム２６を復帰させ、そして二つのデスク板２１を両側に引き、それにより取っ手３７が取っ手引っ掛かり溝３８から離脱し、その後デスク板２１をひっくり返し、二つのデスク板２１が間もなく閉じる時、凸ブロック３３を上へ引き、その後デスク板２１を閉じ、凸ブロック３３を放し、棒状体３２が棒状体引っ掛かり溝２２の中に引っ掛かる。  
【００１９】
本発明の有益な効果は：本装置はノートパソコンを支えることと固定することを実現し、同時に本装置を折り畳め、それで外出する時にパソコンを携帯しやすくなり、また本装置の中にはノートパソコンの放熱を補助できる放熱口が設置されている。  
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は権力要求書に限定された保護範囲を基準とするべきである。